(57)【要約】【課題】保持シートの取り出し作業を容易化できる塗布用品を提供する。【解決手段】塗布剤６を保持している表面３０１（第１面）、および表面３０１と反対側の裏面３０２（第２面）を有する保持シート３と、保持シート３の表面３０１と分離可能に接合している保護シート９と、保持シート３の裏面３０２または保持シート３の外縁部と分離可能に接合している支持シート４と、を備える塗布用品１が提供される。【選択図】図４
2020054434.tif 000002
【特許請求の範囲】
【請求項１】
塗布剤を保持している第１面、および前記第１面と反対側の第２面を有する保持シートと、
前記保持シートの前記第１面と分離可能に接合している保護シートと、
前記保持シートの前記第２面または前記保持シートの外縁部と分離可能に接合している支持シートと、
を備える、塗布用品。
【請求項２】
前記支持シートは、前記保持シートの前記第２面と分離可能に接合している第１支持シートを含む、請求項１に記載の塗布用品。
【請求項３】
前記第１支持シートは、前記保持シートの前記第２面に設けられた粘着部を介して、前記第２面と分離可能に接合している、請求項２に記載の塗布用品。
【請求項４】
前記保護シートは、前記保護シートを剥がすために把持される把持部を有し、
前記保持シートの面に沿う方向で、前記保持シートと前記保護シートとの接合部分のうち前記把持部の側の端は、前記保持シートと前記第１支持シートとの接合部分のうち前記把持部の側の端に対して、同じ位置にあるか、または前記把持部の側にある、請求項２または３に記載の塗布用品。
【請求項５】
前記保護シートは、前記保護シートを剥がすために把持される把持部を有し、
前記保持シートと前記保護シートとの接合部分は、前記保持シートの前記第１面のうち前記把持部の側にある、請求項１〜３のいずれか１項に記載の塗布用品。
【請求項６】
前記保護シートと前記保持シートとの剥離強度は、前記保持シートと前記支持シートとの剥離強度よりも、大きい、請求項１〜５のいずれか１項に記載の塗布用品。
【請求項７】
前記支持シートは、前記保持シートの前記外縁部と分離可能に接合している第２支持シートを含む、請求項１〜６のいずれか１項に記載の塗布用品。
【請求項８】
前記保持シートの前記第１面の一部は、前記保護シートに設けられた粘着部を介して、前記保護シートと分離可能に接合している、請求項１〜７のいずれか１項に記載の塗布用品。
【請求項９】
前記保護シートのうち前記塗布剤に重畳する領域を介して前記塗布剤を視認可能である、請求項１〜８のいずれか１項に記載の塗布用品。
【請求項１０】
前記保護シートに、前記塗布剤を収容する他の塗布用品、前記塗布剤が塗布される対象、または前記塗布剤の色もしくは質感を示唆する物品が表されている、請求項１〜９のいずれか１項に記載の塗布用品。
【請求項１１】
前記保持シートの前記第１面は、前記塗布剤を保持している第１領域、および、前記塗布剤を保持していない第２領域を有し、
前記保護シートは、前記第１面の前記第２領域と分離可能に接合している、請求項１〜１０のいずれか１項に記載の塗布用品。
【請求項１２】
前記保持シートを複数有し、
前記支持シートは、前記保持シートの前記第２面に設けられた粘着層を介して、前記第２面と分離可能に接合しており、
前記保持シートの前記第１面は、前記塗布剤を保持している第１領域と、前記保護シートに設けられた粘着層を介して前記保護シートと分離可能に接合している第２領域とを有し、
前記保護シートは、前記保護シートを剥がすために把持される把持部を有し、
前記第２領域は、前記保持シートの前記第１面のうち前記把持部の側にある、請求項１に記載の塗布用品。
【発明の詳細な説明】
【技術分野】
【０００１】
本発明は、塗布用品に関する。
【背景技術】
【０００２】
従来、塗布剤が保持されている保持シートを含む塗布用品が知られている。例えば特許文献１には、化粧製品用であって、シート状の塗布用品から取り出されて使用されるシート状の塗布具が記載されている。この塗布具では、塗布剤（化粧料）を保持している面（塗布面）と反対側の面は、粘着面となっている。この粘着面を介して、指に塗布具を装着することが可能となっている。上記塗布用品において、粘着面は、粘着剤を保護するための裏シートで覆われており、この裏シートから塗布具が取り外される。
【先行技術文献】
【特許文献】
【０００３】
【特許文献１】特開２００５−２６１９４７号公報
【発明の概要】
【発明が解決しようとする課題】
【０００４】
しかし、上記特許文献１に記載の塗布用品では、塗布面に触れずに裏シートから塗布具を取り外すことを可能とするため、裏シートが、塗布具の周囲を越えて突出しており、裏シートを分離可能とする脆弱化領域または切込みを備える構成となっている。使用者は、上記脆弱化領域または切込みにより裏シートの一部を切り離すことで、塗布具の裏側の粘着面を部分的に露出させる。使用者は、一方の手で裏シートの上記突出している部分を把持し、他方の手の指を上記露出させた粘着面に載せ、最後に裏シートの他の一部を塗布具から取り外す。このように、従来の塗布用品では、塗布具の取り出し作業が煩雑であり、取り出し作業を容易化することが希求されていた。
【０００５】
そこで、本発明は、保持シートの取り出し作業を容易化できる塗布用品に関する。
【課題を解決するための手段】
【０００６】
上記課題を解決するために、本発明のある観点によれば、塗布剤を保持している第１面、および第１面と反対側の第２面を有する保持シートと、保持シートの第１面と分離可能に接合している保護シートと、保持シートの第２面または保持シートの外縁部と分離可能に接合している支持シートと、を備える塗布用品が提供される。
【発明の効果】
【０００７】
本発明の塗布用品によれば、保持シートの取り出し作業を容易化できる。
【図面の簡単な説明】
【０００８】
【図１】本発明の第１の実施形態に係る塗布用品の平面図である。
【図２】同実施形態に係る、保護シートが省略された状態の塗布用品の平面図である。
【図３】同実施形態に係る保護シートの平面図である。
【図４】同実施形態に係る塗布用品の、図１のＩＶ−ＩＶ方向から見た断面図である。
【図５】同実施形態に係る保持シートの取り出し作業を示す図である。
【図６】同実施形態に係る保持シートの取り出し作業を示す図である。
【図７】同実施形態に係る保持シートの装着状態を示す図である。
【図８】本発明の第２の実施形態に係る塗布用品の平面図である。
【図９】本発明の第３の実施形態に係る塗布用品の平面図である。
【図１０】同実施形態に係る保持シートの装着状態を示す図である。
【発明を実施するための形態】
【０００９】
以下に添付図面を参照しながら、本発明の好適な実施の形態について詳細に説明する。なお、本明細書及び図面において、実質的に同一の機能、構成を有する要素については、同一の符号を付することにより重複説明を省略し、また本発明に直接関係のない要素は図示を省略する。
【００１０】
＜第１の実施形態＞
まず、図１〜４を参照して、第１の実施形態に係る塗布用品の構成について説明する。図１、４に示すように、塗布用品１は、複数のシートが積層したシート状である。図４において、理解を容易にするため、各シートの厚さは誇張して描かれている。塗布用品１の平面視における形状は、例えば正方形であるが、矩形その他の多角形でもよいし、円または楕円その他の曲線で囲まれた任意の図形でもよい。塗布用品１は、保持シート３、支持シート４、および保護シート９を備えている。ここで「シート」とは、薄く平たい部材のことであるが、その厚さは均一でなくてもよく、厚さ方向の断面が湾曲した凸形状等であってもよく、表面に凹凸があってもよい。シートの表面に、エンボス加工等の加工が適宜施されていてもよい。
【００１１】
保持シート３は、塗布剤を保持可能なシートであればよく、特に制限はない。ここで「保持」は、堆積または含浸その他の任意の態様を含む。保持シート３は、可撓性のある基材シートの上に、塗布剤を保持可能な面が形成されたものであってよい。例えば、保持シート３は、基材シートの上に、接着剤層を介して短繊維すなわちフロック材料またはパイルが結合することで、粉末状の塗布剤を保持可能な層が形成されたものであってもよい。上記基材シートの例として、樹脂製のフィルム、織物・編物・フェルトまたは不織布、多孔性の発泡シート等が挙げられる。また、保持シート３が、織物・編物・フェルトまたは不織布、多孔性の発泡シート等で形成されていてもよい。図４で、塗布剤６は保持シート３とは別の層として描かれているが、塗布剤６が保持シート３の内部に含浸等により保持される場合には、塗布剤６は保持シート３と同じ層であってよい。図２、４に示すように、保持シート３は、表面（おもてめん。以下同じ。）３０１および裏面３０２を有している。表面３０１は保持シート３の第１面に相当する。裏面３０２は、第１面と反対側の第２面に相当する。塗布剤６が保持シート３の内部に含浸等により保持される場合には、塗布剤６は表面３０１だけでなく裏面３０２にも露出可能または滲出可能であってよい。
【００１２】
保持シート３は、塗布剤６を保持するための第１部分３１と、塗布剤６を保持する目的を有していない第２部分３２とを有している。平面視で、第１部分３１は円形状である。第２部分３２は、第１部分３１の径方向外側に第１部分３１から突出している爪状である。なお、第１部分３１および第２部分３２の形状は任意であり、それぞれ、矩形その他の多角形でもよいし、曲線で囲まれた、円以外の任意の図形でもよい。第１部分３１は、中空リング形であってもよい。
【００１３】
第１部分３１の表面３０１（第１領域に相当。）は、塗布剤６の層により覆われているか、または、塗布剤６が保持シート３の内部に含浸等により保持される場合には、第１部分３１の表面３０１に塗布剤６が露出可能または滲出可能である。第２部分３２の表面３０１（第２領域に相当。）は、塗布剤６の層により覆われていないか、または、塗布剤６が保持シート３の内部に含浸等により保持される場合には、第１部分３１の表面３０１に比べ、第２部分３２の表面３０１への塗布剤６の露出もしくは滲出が抑制されている。言い換えると、第１部分３１の表面３０１に比べ、上記露出または滲出の可能性または程度が低い。保持シート３の裏面３０２の少なくとも一部は、粘着剤の層、すなわち粘着層８２で覆われている。粘着層８２が有する接合の力、すなわち粘着力を調整するために、例えば粘着剤の種類または塗布パターンを異ならせてもよい。本実施形態の塗布剤６は、化粧品または化粧製品の化粧料である。化粧料は、例えば、ファンデーション、チークカラー、口紅、アイシャドウ、アイブロウ、マニキュア等であってもよいし、仕上げ用すなわちメイクアップ用に限らず、メイク落とし用、スキンケア用等の基礎用、頭髪用、芳香用、薬用等の化粧料であってもよい。化粧料は、固形粉末化粧料または油性固形化粧料であってよいし、固体を主成分とするものに限らず液体を主成分とするものであってもよい。
【００１４】
図２、４に示すように、支持シート４は、第１支持シート４１および第２支持シート４２を有している。第１支持シート４１は、保持シート３の裏面３０２を覆って支持する裏シートである。第１支持シート４１は、可撓性があり、表面４１１および裏面４１２を有している。第１支持シート４１は、樹脂製であってもよいし、不織布等の繊維製、または紙製等であってもよい。第２支持シート４２は、保持シート３の外周を囲んで支持する外周シートである。第２支持シート４２は、可撓性があり、表面４２１および裏面４２２を有している。第２支持シート４２は、保持シート３と共通の材質および層構造を有していてもよいし、塗布剤６を保持していてもいなくてもよい。第２支持シート４２には１つの孔４２３が貫通している。孔４２３には保持シート３が嵌まっている。第２支持シート４２は、保持シート３の外縁部に対向しており、保持シート３とともに１つの本体シート５を構成している。
【００１５】
言い換えると、保持シート３は、本体シート５の一部であり、切れ目５１により囲まれる部分である。切れ目５１は、保持シート３を囲んで連続している。保持シート３は、切れ目５１により、本体シート５から取り外し可能である。切れ目５１は、本体シート５の厚さ方向に延び、本体シート５の表面５０１および裏面５０２に接続している。第２支持シート４２における孔４２３の内縁部、言い換えると内周面と、保持シート３の外縁部、言い換えると外周面とは、少なくとも部分的に、互いに接している。保持シート３が本体シート５から取り外される際、孔４２３の内縁部に対して保持シート３の外縁部が本体シート５の厚み方向に滑る。この滑り方向では、両縁部の間に摩擦力が生じる。すなわち、第２支持シート４２は、保持シート３の外縁部と分離可能に接合している。保持シート３の第２部分３２は、本体シート５の一辺５２に向かって延びるように第１部分３１から突出した形状となっている。第２部分３２の表面３０１は、本体シート５の表面５０１の一部として、第２支持シート４２の表面４２１に連続している。
【００１６】
本体シート５の裏面５０２は、粘着層８４により覆われている。保持シート３の裏面３０２の粘着層８２は、粘着層８４の一部である。また、第２支持シート４２の裏面４２２は、粘着層８３により覆われている。この粘着層８３も、粘着層８４の一部である。粘着層８４には、保持シート３の外周の位置に切れ目５１０が設けられている。切れ目５１０は、上記切れ目５１の一部であり、例えば切れ目５１と同じ工程で形成されうる。切れ目５１０は、保持シート３を囲んで連続している。切れ目５１０は、粘着層８４の厚さ方向に延び、粘着層８４の表面および裏面に接続している。本体シート５の裏面５０２、すなわち粘着層８４は、第１支持シート４１の表面４１１に重畳、言い換えると対向しており、表面４１１と分離可能に接着している。保持シート３の裏面３０２、具体的には粘着層８２は、粘着部として機能する。保持シート３の裏面３０２との粘着の力を弱めるため、第１支持シート４１の表面４１１に剥離加工が施されていてもよい。例えば、第１支持シート４１は剥離紙であってもよい。
【００１７】
図３、４に示すように、保護シート９は、保持シート３の表面３０１を覆う表（おもて）シートである。保護シート９は、可撓性のある粘着フィルムであり、樹脂製であってもよいし、不織布等の繊維製、または紙製等であってもよい。保護シート９は、表面９０１および裏面９０２を有している。保護シート９の裏面９０２は、本体シート５の表面５０１、具体的には保持シート３の表面３０１および第２支持シート４２の表面４２１に重畳している。保護シート９の裏面９０２は、部分的に粘着層が設けられていない。図３に示すように、保護シート９における第１部分９３および第２部分９４の裏面９０２は、粘着層により覆われておらず第１部分９３および第２部分９４を除く部分の裏面９０２は、粘着層８１により覆われている。第１部分９３は、保持シート３の第１部分３１と同じ大きさおよび形状、例えば円形であり、平面視で第１部分３１と一致して重なるように配置されている。なお、保持シート３における塗布剤６の分布は、第１部分９３の形状と一致していてもいなくてもよい。第２部分９４は、保護シート９の一辺９１に沿って延びる矩形状であり、保護シート９の外周に接続している。
【００１８】
保護シート９の裏面９０２のうち、保持シート３の第２部分３２の表面３０１に重畳する領域９０３は、粘着層８１により覆われており、第２部分３２と分離可能に接着している。上記領域９０３の粘着層８１は、第２部分３２に対する粘着部として機能する。保護シート９の裏面９０２のうち、保持シート３の第１部分３１の表面３０１に重畳する領域、具体的には第１部分９３の裏面９０２は、粘着層８１により覆われておらず、第１部分３１の表面３０１を覆うことで、第１部分３１の表面３０１に保持されている塗布剤６を保護するための保護部として機能する。保護シート９における第１部分９３の裏面９０２は、例えば糊殺し加工が施されていてもよい。保護シート９の裏面９０２のうち、保持シート３の周囲に重畳する領域９０４は、粘着層８１により覆われており、第２支持シート４２の孔４２３の周囲と分離可能に接着している。上記領域９０４の粘着層８１は、第２支持シート４２に対する粘着部として機能する。なお、粘着部は、粘着機能を有する部分であればよく、平面状の粘着層８１、８２に限らない。例えば、粘着部は、線状、例えば直線状、曲線状または螺旋状でもよく、点状であってもよい。本実施形態のように、粘着層８１、８２を介して接着する場合、適度な接着力を簡便に得ることができる。
【００１９】
平面視で、保護シート９の第２部分９４の任意の位置と保持シート３の中心、例えば第１部分３１の中心とを結ぶ直線の方向、例えば図１において矢印１０で示す方向を、基準剥がし方向とする。保持シート３の面内で基準剥がし方向１０に対し直交する方向１１における第２部分３２の最大幅は、基準剥がし方向１０における第２部分３２の最大幅よりも大きい。平面視で、保護シート９と保持シート３の第２部分３２とが粘着層８１を介して接着する領域を領域Ｘとし、保持シート３と第１支持シート４１とが粘着層８２を介して接着する領域を領域Ｙとする。領域Ｘの全部は、領域Ｙと重なっている。領域Ｙは、領域Ｘに対し保護シート９の第２部分９４と反対の側、言い換えると基準剥がし方向１０の先の側に突出し、領域Ｘよりも第２部分９４の側、言い換えると基準剥がし方向１０の元の側に突出しない。領域Ｘは、保持シート３において、基準剥がし方向１０で第２部分９４の側にあり、保持シート３の外周に重なっている。言い換えると、保持シート３の外周に接続している。図１、４に示すように、平面視で、領域Ｘのうち第２部分９４の側の端Ｐは、領域Ｙのうち第２部分９４の側の端Ｑに対して、同じ位置にある。
【００２０】
保持シート３の第２部分３２との接着領域Ｘにおける保護シート９の剥離強度は、第１支持シート４１との接着領域Ｙにおける保持シート３の剥離強度よりも、大きい。ここで「剥離強度」は、所定の速度での引き剥がしに際して生じる抵抗力であり、剥がし方向に対し直交する方向、言い換えると剥離先端に沿った直線方向における接着部分の単位長さ当たりの力（Ｎ／ｍｍ）で表される。剥離強度の測定方法としては、例えば所定の剥離接着強さ試験方法（ＪＩＳ  Ｋ６８５４−２、ＪＩＳ  Ｋ６８５４−３）を用いることができる。なお、所定の粘着テープ・粘着シート試験方法（ＪＩＳ  Ｚ０２３７）により粘着力を測定してもよい。上記各試験方法で用いる試験片として、図１、４で示される実際の塗布用品を用いることができる。すなわち、剥離強度を比較する両接着領域の形状または大きさが互いに異なる試験片を用いてもよい。上記比較のための剥離強度として、例えば基準剥がし方向１０における剥離強度を用いることができる。さらに、本実施形態の塗布用品１においては、保持シート３と保護シート９との剥離強度が、第１支持シート４１と第２支持シート４２の両方を含む支持シート４と保持シート３との剥離強度よりも大きい。これらの剥離強度を比較するため、上記各試験に準じ、実際の塗布用品を用いて、第１，第２支持シート４１，４２を含む支持シート４と保持シート３との剥離強度を測定してもよい。
【００２１】
次に、図５〜７を参照して、本実施形態に係る塗布用品１の使用方法を説明する。塗布用品１はシート状であるため、携帯性に優れている。この塗布用品１からは保持シート３が取り出され、この保持シート３は塗布具２として機能する。図７に示すように、塗布具２は、シート状の塗布用具であって、その表面に塗布剤６が保持されている。塗布具２において、塗布剤６を保持している面と反対側の面は、粘着面となっている。この粘着面を介して、指に塗布具２を装着することが可能となっている。塗布具２は、第１部分３１と第２部分３２を有している。第１部分３１の表面３０１には塗布剤６が保持されており、第２部分３２の表面３０１に粘着層は存在していない。図５、６における塗布用品１の断面は、図１のＩＶ−ＩＶ方向から見たものである。図５は、使用者が塗布用品１から保持シート３を取り出す作業（以下、取り出し作業という。）における第１のステップを示す。第１ステップで、使用者は、保護シート９を第２支持シート４２から引き剥がそうとして、手の指で保護シート９の第２部分９４を把持し、図５に示すように捲り上げて、第２支持シート４２および第１支持シート４１から引き離すとともに、更に第２部分９４を基準剥がし方向１０に進行させる。第２部分９４は、第２支持シート４２から保護シート９を剥がすために把持される把持部として機能する。
【００２２】
２つのシート９，４２が互いに剥がれる境界である剥離先端が第２部分３２に差し掛かると、保持シート３における第２部分３２の表面３０１と保護シート９の粘着層８１との接着力により、保持シート３の第２部分３２の表面３０１が保護シート９に接着した状態で、保持シート３の裏面３０２の粘着層８２が第１支持シート４１から引き離され、剥がれる。同時に、保持シート３の外周が、第２支持シート４２の孔４２３の内周から引き離され、切り離される。このように使用者が保護シート９を剥がす力により、保持シート３は、保護シート９との接着状態を保ったまま、第１支持シート４１から引き離され、剥がされるとともに、第２支持シート４２から取り外される。第１支持シート４１から剥がされた保持シート３の裏面３０２の粘着層８２は、塗布用品１の外部に露出する。
【００２３】
図６は、取り出し作業における第２のステップを示す。第２ステップで、使用者は、例えば手の指先を粘着層８２に載せ、指先と保持シート３の裏面３０２とを接着させる。この状態で指を保護シート９から引き離す。指先と保持シート３の粘着層８２との接着力により、保持シート３の裏面３０２が指先に接着した状態で、保持シート３の第２部分３２が保護シート９の裏面９０２の粘着層８１から剥がれうる。よって、図７に示すように、保持シート３が塗布用品１から取り出され塗布具２として指先に装着された状態が実現される。したがって、チップ、ブラシ、パフ等の他の道具を使わず、塗布具２を用いて塗布することができる。塗布具２が１つの指先に装着できる程度の大きさであることが、塗布対象の狭い範囲における塗布を可能とするという観点からは、好ましい。塗布対象は、人または農用、愛玩用もしくは実験用の動物の肌、粘膜、毛髪、爪等であってよい。なお、使用者は、保護シート９を本体シート５から完全には剥がさず、保護シート９の一部が第２支持シート４２と接着した状態で、例えば第２部分３２の裏面３０２がすべて第１支持シート４１から剥がされ露出したとき、上記第２のステップを実行してもよい。
【００２４】
このように、保護シート９は、保持シート３の表面３０１の少なくとも一部、具体的には第２部分３２の表面３０１と接合している。この接合の力を用いて、保持シート３を支持シート４、具体的には第１支持シート４１および第２支持シート４２から取り外すことが可能である。すなわち、保持シート３における第２部分３２の表面３０１と保護シート９の裏面９０２とは例えば粘着層８１を介して接合している。よって、第１ステップで、保持シート３の第２部分３２の表面３０１が保護シート９に接合した状態で、使用者が保護シート９を剥がす力により、保持シート３の裏面３０２が第１支持シート４１から引き離され、剥がれうる。同時に、保持シート３の外周が、第２支持シート４２の孔４２３の内周から引き離され、切り離されうる。このように保持シート３は、上記接合の力により、保護シート９と接合した状態を保ったまま、第１支持シート４１から引き離され、剥がされるとともに、第２支持シート４２から取り外されうる。また、保護シート９と保持シート３の表面３０１とは、分離可能に接合している。よって、上記のように保護シート９とともに取り外された保持シート３を、保護シート９から取り外すことができる。例えば第２ステップで、保持シート３の第２部分３２が保護シート９の粘着層８１から剥がれうる。以上のように、保護シート９が保持シート３の表面３０１と分離可能に接合していることにより、保持シート３の取り出し作業を容易化できる。なお、この観点からは、保護シート９は、保持シート３の表面３０１の全部、すなわち第１部分３１および第２部分３２の表面３０１と分離可能に接合していてもよい。
【００２５】
本実施形態では、保護シート９は、保持シート３の表面３０１の一部、具体的には第２部分３２の表面３０１と分離可能に接合している。言い換えると、保持シート３の表面３０１の他の部分、具体的には第１部分３１の表面３０１が、保護シート９と接合していない。よって、保持シート３の表面３０１において塗布剤６を保持する機能が、保護シート９と保持シート３との上記接合のための構造により妨げられにくいことから、上記保持機能の向上を図ることができる。また、図６に示すように、保護シート９と一体的に保持シート３が第１支持シート４１から取り外された状態において、保持シート３の表面３０１の上記他の部分は、保護シート９と接合していないため、保護シート９から容易に離間しうる。よって、第２のステップにおける保護シート９からの保持シート３の取り外しを容易化できる。
【００２６】
なお、支持シート４は、柔軟でなくてもよい。支持シート４は、保持シート３を支持できればよく、保持シート３の裏面３０２の全部または保持シート３の外縁部の全部に限らず、これらの少なくとも一部と分離可能に接していればよい。また、支持シート４は、第１支持シート４１と第２支持シート４２のどちらかを含まなくてもよい。本実施形態では、支持シート４は、保持シート３の外縁部の少なくとも一部と分離可能に接合している第２支持シート４２を含む。よって、塗布用品１に含まれた未取り出し状態の保持シート３において、第１支持シート４１がない場合でも、第２支持シート４２により保持シート３を支持することができる。
【００２７】
また、第２支持シート４２により、保持シート３の周囲を保護することができる。よって、塗布剤６が塗布用品１の外周縁に露出することを防止しつつ、保持シート３の外周縁の少なくとも一部まで塗布剤６を保持することが可能となる。これにより、保持シート３の表面３０１の全体を小さくしつつ、塗布剤６が保持される領域を保持シート３の外周縁まで拡張することで、保持シート３において塗布剤６が占める面積を大きく確保できる。また、第２支持シート４２により、塗布剤６が塗布用品１の外周縁に露出することを防止しつつ、保持シート３の外周縁の少なくとも一部まで塗布剤６を保持することが可能となるため、取り外された保持シート３の外周縁またはその近傍を塗布に使えるようになる。よって、塗布具２の塗布機能を向上できる。また、保護シート９と保持シート３の第２部分３２との上記接合の力、具体的には接着力を用いて、保持シート３の外縁部と第２支持シート４２との接合の力、具体的には摩擦力に抗し、保持シート３を第２支持シート４２から取り外すことが可能である。例えば、保持シート３の表面３０１が、第２支持シート４２の表面４２１と同一平面上にあったり、第２支持シート４２の表面４２１に対し孔４２３の内部にあったりする場合、言い換えるとそのままでは第２支持シート４２から保持シート３を取り外しにくい場合でも、保護シート９を剥がす際、上記接合の力、具体的には接着力を用いて、保持シート３を第２支持シート４２から取り外すことが可能である。
【００２８】
第２支持シート４２は、保持シート３とともに本体シート５を構成している。保持シート３は、本体シート５の一部であり、保持シート３を囲んで連続する切れ目５１により、本体シート５から取り外し可能である。よって、本体シート５に切れ目５１を設けることで保持シート３と第２支持シート４２を同時に形成することが可能であるため、塗布用品１の生産性を向上できる。
【００２９】
本実施形態では、第２支持シート４２の表面４２１において保持シート３を囲む部分は、保護シート９に接合、具体的には接着している。よって、保持シート３の周囲において、第２支持シート４２と保護シート９との密着性が向上し、両シート４２，９の間の隙間が抑制されるため、塗布剤６の保護性を向上できる。
【００３０】
本実施形態では、支持シート４は、保持シート３の裏面３０２と分離可能に接合、具体的には接着している第１支持シート４１を含む。よって、第２支持シート４２がない場合でも、第１支持シート４１により保持シート３を支持することができる。また、第１支持シート４１により保持シート３の裏面３０２を外部から保護することができる。また、保護シート９と保持シート３の第２部分３２との上記接合の力、具体的には接着力を用いて、保持シート３の裏面３０２と第１支持シート４１との接合の力、具体的には接着力に抗し、保持シート３を第１支持シート４１から取り外すことが可能である。
【００３１】
なお、第１支持シート４１は、保持シート３の裏面３０２の全部と接合していなくてもよく、少なくとも一部と接合していればよい。また、第２支持シート４２がない場合、保護シート９の裏面９０２において保持シート３を囲む部分が、第１支持シート４１に接合するようにしてもよい。この場合、保持シート３の周囲において、保護シート９と第１支持シート４１との密着性が向上するため、塗布剤６の保護性を向上できる。
【００３２】
第１支持シート４１と保持シート３との接合は、接着剤を用いる接着、例えば粘着剤を用いる粘着に限らない。ヒートシールであってもよい。また、面ファスナー、すなわち複数のフックとループ等による機械的接合、または静電気により密着する場合の電気的接合等であってもよい。本実施形態のように、保持シート３の裏面３０２と第１支持シート４１が、粘着部を介して接着する場合、粘着剤等を用いて簡便に、分離可能な接合を実現できる。
【００３３】
保持シート３の裏面３０２に限らず、第１支持シート４１の表面４１１に粘着部が設けられていてもよい。本実施形態のように、第１支持シート４１が、保持シート３の裏面３０２の少なくとも一部に設けられた粘着部、具体的には粘着層８２を介して、裏面３０２と分離可能に接着している場合、この粘着部に手指等を載せることで、保持シート３と手指等とを接着することができる。保持シート３を塗布用品１から取り出した後は、保持シート３の裏面３０２に手指等が接着することで、保持シート３を手指等に保持しやすい。保持シート３を塗布用品１から取り出す際には、保持シート３の裏面３０２に手指等を接着させ、この接着の力で保持シート３を保護シート９から剥がすことができる。手指等が保持シート３の表面３０１に触れる必要がないため、塗布剤６と手指等との干渉、およびこれによる塗布剤６の脱落または手指等の汚れ等を抑制できる。
【００３４】
本実施形態は、保持シート３を塗布用品１から取り出す際、保護シート９と保持シート３との接合の力を用いて、保持シート３を第２支持シート４２から取り外すことが可能である。よって、この取り外しの際、保護シート９と保持シート３の塗布剤６とが互いに強く押し付けられるおそれが少ない。また、保護シート９と保持シート３との接合の力を用いて、保持シート３を第２支持シート４２の表面４２１の側から取り外すことが可能であるため、第１支持シート４１に切れ目を入れる等の加工が必要となりにくい。
【００３５】
保持シート３の第２部分３２の表面３０１と保護シート９とが接合している部分である領域Ｘは、保持シート３の外周に重なっている。言い換えると、当該外周に接続している。よって、使用者が保護シート９を剥がそうとする力は、保護シート９と保持シート３の第２部分３２との上記接合の力を介して、保持シート３の外縁部、すなわち保持シート３と第２支持シート４２との接合部分により近い位置で作用する。このため、保護シート９と保持シート３との上記接合の力を用いて、保持シート３を第２支持シート４２から剥がすことが容易となる。
【００３６】
保持シート３の第２部分３２の表面３０１と保護シート９とが接合している部分である領域Ｘは、保持シート３の表面３０１のうち保護シート９の把持部である第２部分９４の側にある。ここで、表面３０１のうち第２部分９４の側とは、例えば、基準剥がし方向１０における表面３０１の両端の中点を基準として第２部分９４の側であってよい。よって、使用者が第２部分９４の側から保護シート９を剥がそうとする際、保持シート３において塗布剤６を保持している部分である第１部分３１の表面３０１から保護シート９が引き離されることが抑制される。特に、保持シート３の裏面３０２の少なくとも一部が第１支持シート４１と分離可能に接合している場合に、効果的に抑制される。これにより、塗布剤６が外部に大きく露出することが防止されるため、保持シート３の取り出し時における塗布剤６の保護性を向上できる。また、保護シート９と保持シート３との上記接合の力は、第２部分９４により近い位置で作用する。このため、上記接合の力を用いて、保持シート３を第２支持シート４２から剥がすことが容易となる。この観点からは、保持シート３において、領域Ｘは、その全部が第２部分９４の側になくてもよく、その一部が第２部分９４と反対の側にあってもよい。この場合、領域Ｘにおいて、第２部分９４の側にある部分の総面積が、第２部分９４と反対の側にある部分の総面積より大きくてもよい。
【００３７】
保持シート３の裏面３０２と第１支持シート４１とが接合している部分である領域Ｙは、保持シート３の第２部分３２の表面３０１と保護シート９とが接合している部分である領域Ｘに対し、基準剥がし方向１０で一方側のみ、本実施形態では保護シート９の第２部分９４と反対の側のみにある。よって、領域Ｙが領域Ｘに対し基準剥がし方向１０で両側にある場合に比べ、保持シート３の第２部分３２の表面３０１と保護シート９とが接合する力を用いて、保持シート３を基準剥がし方向１０に沿って第１支持シート４１から剥がすことが容易である。言い換えると、使用者が、実際の剥がし方向を、基準剥がし方向１０に対し角度をつけることで調整する必要が、少ない。よって、保持シート３を第１支持シート４１から取り外す作業を容易化できる。この観点からは、領域Ｙが領域Ｘに対し基準剥がし方向１０で第２部分９４の側のみにあってもよい。
【００３８】
なお、基準剥がし方向１０は、使用者が保護シート９を剥がす蓋然性が高い方向であればよい。例えば保護シート９の表面９０１に剥がし開始位置が表示ないし示唆される場合、この剥がし開始位置と保持シート３の例えば中心とを結ぶ直線の方向を基準剥がし方向１０としてもよい。
【００３９】
また、保持シート３の裏面３０２において、保持シート３の面に沿う方向で、保持シート３の表面３０１における保護シート９との接合部分である領域Ｘと重なる部分、すなわち第２部分３２の裏面３０２は、その少なくとも一部が、第１支持シート４１と接合していなくてもよい。例えば粘着層８２を有しなくてもよい。この場合、保持シート３の第２部分３２の表面３０１と保護シート９とが接合する力を用いて、保持シート３を第１支持シート４１から剥がそうとする際、保護シート９との上記接合に係る保持シート３の部分である第２部分３２が第１支持シート４１から離れやすいため、より円滑に保持シート３を第１支持シート４１から剥がすことができる。
【００４０】
本実施形態では、図１、４に示すように、保持シート３の面に沿う方向で、保持シート３の第２部分３２と保護シート９との接合部分である領域Ｘのうち保護シート９の把持部すなわち第２部分９４の側の端Ｐは、保持シート３と第１支持シート４１との接合部分である領域Ｙのうち第２部分９４の側の端Ｑに対して、同じ位置にある。よって、保持シート３の第２部分３２の表面３０１と保護シート９とが接合する力を用いて、保持シート３を第１支持シート４１から剥がそうとする際、基準剥がし方向１０の先の側に剥がすことが容易である。言い換えると、実際の剥がし方向を、基準剥がし方向１０とは反対の側、言い換えると基準剥がし方向１０の元の側に戻して調整する必要が、少ない。よって、保持シート３を第１支持シート４１から取り外す作業をより容易化できる。なお、保持シート３の面に沿う方向で、端Ｐが、端Ｑに対して、第２部分９４の側にあってもよい。この場合も、保持シート３を基準剥がし方向１０の先の側に剥がすことを容易化できる。なお、上記「同じ位置」は、厳密に同じ位置に限らず、製造上の理由等による若干のズレを含みうる。例えば、カッターで切れ目５１を形成する際、表面３０１において切れ目５１を挟む両側に凹みが発生しうる。この場合、領域Ｘの端Ｐが、領域Ｙの端Ｑに対して、上記凹みの分だけ、保持シート３の表面３０１に沿う方向で保持シート３の外縁より内側にずれる可能性がある。また、第２支持シート４２における孔４２３の内縁部と、保持シート３の外縁部との間の摩擦を低減するため、表面３０１において切れ目５１を含む領域に意図的に凹みを形成し、上記内縁部と上記外縁部とが接触する厚み方向寸法を小さくする場合もありうる。上記「同じ位置」は、上記凹みに起因する例えば０．５〜１ｍｍ程度のズレを含む。
【００４１】
保護シート９と保持シート３との剥離強度は、保持シート３と支持シート４との剥離強度よりも、大きい。よって、保護シート９と保持シート３との接合の力を用いて、保持シート３を支持シート４から取り外すことを、容易化できる。例えば、保護シート９と保持シート３の第２部分３２との接合部分である領域Ｘにおける剥離強度は、保持シート３と第１支持シート４１との接合部分である領域Ｙにおける剥離強度よりも、大きい。これにより、保持シート３の取り出し時に生じる、領域Ｘにおける接合の力を、領域Ｙにおける接合の力よりも大きくすることが、容易となる。よって、領域Ｘにおける接合の力を用いて、保持シート３を第１支持シート４１から取り外すことを、容易化できる。例えば、第１支持シート４１の表面４１１に剥離加工を施すことで、領域Ｙにおける剥離強度を容易に低下させることができる。
【００４２】
保護シート９と保持シート３の第２部分３２との接合部分である領域Ｘの、基準剥がし方向１０に対し直交する方向１１における最大幅は、基準剥がし方向１０における最大幅よりも大きい。よって、保護シート９と保持シート３の第２部分３２とを互いに引き剥がす際に生じる抵抗力、すなわち保持シート３を支持シート４から取り外すための、保護シート９と保持シート３との上記接合の力を、効率的に得ることができる。言い換えると、領域Ｘの面積を抑制できる。
【００４３】
なお、基準剥がし方向１０に対し直交する方向１１における領域Ｘの最大幅が、上記方向１１における領域Ｙの最大幅より大きくてもよい。この場合も、保持シート３の取り出し時に生じる、領域Ｘにおける接合の力を、領域Ｙにおける接合の力よりも大きくすることが、容易となる。よって、両領域の剥離強度とは独立に、保護シート９と保持シート３の第２部分３２との接合の力を用いて保持シート３を第１支持シート４１から取り外すことを、容易化できる。
【００４４】
なお、保護シート９と保持シート３の第２部分３２との接合は、接着剤を用いる接着、例えば粘着剤を用いる粘着に限らない。例えば、ヒートシールであってもよい。また、面ファスナー等による機械的接合、または静電気により密着する場合の電気的接合であってもよい。塗布剤６が粘着性である場合、その粘着力を利用して、保護シート９と保持シート３とが分離可能に接合するようにしてもよい。これらの場合、保持シート３の表面３０１において、塗布剤６を保持する領域と、保護シート９と接合する領域とが重なってもよい。これにより、保持シート３の表面３０１に保持可能な塗布剤６の量を増やすことが可能である。
【００４５】
本実施形態では、保持シート３の表面３０１は、塗布剤６を保持している第１領域である第１部分３１の表面３０１、および、塗布剤６を保持していない第２領域である第２部分３２の表面３０１を有し、保護シート９は、第２部分３２の表面３０１と分離可能に接合している。このように、保護シート９と分離可能に接合している第２部分３２の表面３０１が塗布剤６を保持していないため、第２部分３２の表面３０１における上記接合のための構造の自由度を増し、適度な接合力を簡便に得ることができる。ここで、第２部分３２の表面３０１が塗布剤６を保持していないとは、第２部分３２の表面３０１が塗布剤６により覆われていないか、または第２部分３２の表面３０１への塗布剤６の露出もしくは滲出の可能性もしくは程度が第１部分３１の表面３０１よりも低いことを意味する。なお、上記観点からは、第２部分３２の表面３０１が塗布剤６を保持することを妨げるよう、特別な処理を第２部分３２に施すか、または保持シート３への塗布剤６の設置方法を工夫してもよい。
【００４６】
本実施形態では、保護シート９と保持シート３の第２部分３２とが、粘着部を介して接着している。よって、粘着剤等を用いて簡便に、上記分離可能な接合を実現できる。なお、保護シート９の裏面９０２に限らず、保持シート３の表面３０１の一部、例えば第２部分３２の表面３０１に粘着部が設けられていてもよい。本実施形態のように、第２部分３２の表面３０１が、保護シート９に設けられた粘着部である粘着層８１を介して保護シート９と分離可能に接着している場合、保持シート３の表面３０１における粘着部の存在を抑制可能であるため、塗布具２と塗布対象である肌等との接着を防止し、塗布具２の使用感または操作性を向上できる。なお、保持シート３の表面３０１のうち保護シート９の粘着部に重畳する領域の少なくとも一部が、塗布剤６により覆われているか、または、塗布剤６が露出可能もしくは滲出可能であってもよい。
【００４７】
本実施形態では、保持シート３の表面３０１のうち保護シート９の粘着部に重畳する領域である第２部分３２の表面３０１は、塗布剤６により覆われていないか、または塗布剤６の露出もしくは滲出が抑制されている。具体的には、第２部分３２の表面３０１への塗布剤６の露出または滲出の可能性または程度が、第１部分３１の表面３０１よりも低い。よって、保護シート９と第２部分３２との接着力を容易に向上できる。また、第２部分３２が塗布具２の把持部として機能しうる。すなわち、使用者が、塗布具２を使用して塗布を行う際、または塗布具２の使用後にこれを廃棄する際、第２部分３２を把持することで、塗布剤６が指に付着することを防止できる。
【００４８】
保護シート９の裏面９０２のうち塗布剤６に重畳する部分、言い換えると保持シート３の第１部分３１に重畳する部分は、粘着層８１で覆われていない。よって、塗布剤６が粘着層８１に付着して保持シート３から剥がされることが抑制される。なお、上記重畳する部分の少なくとも一部が粘着層８１で覆われていなければ、この一部に関して塗布剤６の上記剥離が抑制されうる。
【００４９】
＜第２の実施形態＞
次に、図８を参照して、第２の実施形態に係る塗布用品１について説明する。第１の実施形態と共通する点については、説明を省略する。塗布用品１は、平面視で例えば矩形状である。１つの塗布用品１が、塗布具２として機能しうる保持シート３を複数、本実施形態では８つ、含んでいる。第２支持シート４２は、孔４２３を８つ有している。１つの第２支持シート４２が、８つの保持シート３とともに１つの本体シート５を構成している。各保持シート３は、平面視で円形である。第２部分３２は、保持シート３の外周の一部と円弧とで区画された凸レンズ形状である。第１支持シート４１は、保持シート３の裏面３０２に設けられた粘着層８２を介して、裏面３０２と分離可能に接着している。保持シート３の表面３０１は、塗布剤６を保持している第１部分３１の表面３０１と、保護シート９に設けられた粘着層８１を介して保護シート９と分離可能に接合している第２領域である第２部分３２の表面３０１とを有している。
【００５０】
８つの保持シート３は、第１列３Ａと第２列３Ｂに配列されている。各列３Ａ，３Ｂでは、本体シート５の一辺５２、言い換えると保護シート９の第２部分９４が延びる方向に、４つの保持シート３が一列に並んでいる。第１列３Ａの保持シート３と第２列３Ｂの保持シート３とは、上記方向で互いにずれており、互い違いに並ぶ。各保持シート３において、第２部分３２は、辺５２の側、言い換えると第２部分９４の側にある。第１列３Ａの各保持シート３において、第２部分３２は、辺５２または第２部分９４が延びる方向の一方側にある。第２列３Ｂの各保持シート３において、第２部分３２は、上記方向の他方側にある。
【００５１】
本実施形態の塗布用品１は、塗布具２として機能しうる保持シート３を複数有している。よって、各保持シート３が互いに異なる色または種類の塗布剤６を有することができるため、例えば一連の塗布作業を１つの塗布用品１によって実現可能となる。なお、保持シート３の数は任意である。また、各保持シート３が互いに異なる形状または大きさを有していてもよい。
【００５２】
保護シート９は、保護シート９を剥がすために把持される把持部である第２部分９４を有している。保持シート３の面に沿う方向で、保持シート３の第２部分３２は、表面３０１のうち第２部分９４の側にある。よって、使用者が第２部分９４の側から保護シート９を剥がそうとする際、複数の保持シート３について、第１の実施形態と同様、第２支持シート４２から剥がすことが容易となる。
【００５３】
複数の保持シート３のうち、一部の保持シート３、具体的には第１列３Ａの保持シート３の第２領域である第２部分３２は、保護シート９の把持部である第２部分９４が延びる方向の一方側にあり、他の一部の保持シート３、具体的には第２列３Ｂの保持シート３の第２領域である第２部分３２）は、上記方向の他方側にある。よって、基準剥がし方向１０または実際の剥がし方向が、図８に示す方向１０Ａ，１０Ｂのいずれであっても、いずれか一部の保持シート３について、上記のように第２支持シート４２から剥がすことが容易となる。例えば、基準剥がし方向１０または実際の剥がし方向が方向１０Ａであるとき、第１列３Ａの保持シート３について、上記のように第２支持シート４２から剥がすことが容易となる。
【００５４】
複数の保持シート３は、保護シート９の把持部である第２部分９４が延びる方向に並んでいる。よって、使用者が第２部分９４の側から保護シート９を剥がそうとする際、複数の保持シート３、例えば第１列３Ａの保持シート３を一度に、第１支持シート４１および第２支持シート４２から分離することが容易となる。
【００５５】
第１列３Ａの保持シート３と第２列３Ｂの保持シート３とは、辺５２または第２部分９４が延びる方向で互いにずれており、互い違いに並ぶ。このように配置することにより、保持シート３を取り外しやすくなるとともに、複数の保持シート３を密に配列して塗布用品１の全体の大きさを小さくすることができる。
【００５６】
＜第３の実施形態＞
次に、図９、１０を参照して、第３の実施形態に係る塗布用品１について説明する。第１または第２の実施形態と共通する点については、説明を省略する。図９に示すように、塗布用品１は、平面視で例えば矩形状である。１つの塗布用品１が、塗布具２として機能しうる保持シート３を複数、本実施形態では２つ、含んでいる。第２支持シート４２は、孔４２３を２つ有している。１つの第２支持シート４２が、２つの保持シート３とともに１つの本体シート５を構成している。保持シート３の第１部分３１は、平面視で矩形状である。第２部分３２は、第１部分３１の１つの短辺から本体シート５の一辺５２の側、言い換えると保護シート９の第２部分９４の側に突出した形状となっている。
【００５７】
保護シート９は、２つの保持シート３の間の領域で分割可能に設けられている。具体的には、保護シート９は、切れ目９０を有している。切れ目９０は、保護シート９の厚さ方向に延びて保護シート９の表面９０１および裏面９０２に接続している。切れ目９０は、保護シート９の面に沿って２つの保持シート３の間を延び、保護シート９の外周に接続している。保護シート９のうち、塗布剤６に重畳する領域、言い換えると保持シート３の第１部分３１に重畳する領域の少なくとも一部、具体的には第５部分９５は、透明である。２つの保持シート３の第１部分３１に対応して、第５部分９５は２つある。
【００５８】
保護シート９の表面９０１には、当該塗布用品１の塗布剤６と同じまたは同種の塗布剤を収容する他の塗布用品のイラストが、印刷等により描かれている。上記他の塗布用品は、例えば化粧用品であり、従来から塗布剤６が収容されていた製品、または塗布用品１と同じブランドの製品等である。描かれた化粧用品１００は、塗布剤としての化粧品１０１と、それを収容する容器１０２を含むコンパクトのイラストである。図９では、化粧品１０１として２種類のチークカラーを収容する容器１０２の蓋が開かれた状態が描かれている。第５部分９５のそれぞれは、容器１０２において２種類のチークカラーを収容する各部分に対応するように配置されている。
【００５９】
取り出し作業における第２ステップで、使用者は、例えば手の指を粘着層８２に載せ、保持シート３の第２部分３２を保護シート９の裏面９０２の粘着層８１から剥がす。上記手の指は、１本の指全体でもよいし、２本以上の指の一部でもよい。また、手掌の一部等でもよい。これにより、図１０に示すように、保持シート３が取り出され手指に装着された状態が実現される。第１実施形態の保持シート３に比べ、第１部分３１が大きいため、容易に、塗布対象の広い範囲に塗布可能である。
【００６０】
保護シート９は、複数の保持シート３の間で分割可能に設けられている。よって、保持シート３ごとに保護シート９を剥がすことで、使用する保持シート３のみを塗布用品１から取り出し、使用しない保持シート３を塗布用品１に残しておくことができる。なお、保護シート９は、上記分割を可能にするため、切れ目９０に代えて、脆弱部、例えばミシン目または凹部、具体的には保護シート９の表面９０１または裏面９０２のいずれかに接続する切れ込み等を有していてもよい。また、保護シート９とともに、第２支持シート４２を、複数の保持シート３の間で分割可能としてもよい。この場合、１つの塗布用品１を、１以上の保持シート３を含む複数の塗布用品１に分割することができる。
【００６１】
本実施形態の塗布用品１では、保護シート９のうち塗布剤６に重畳する領域を介して塗布剤６を視認可能であるため、塗布用品１から保持シート３を取り出す前に、実際の塗布剤６を確認することができる。すなわち、保護シート９のうち塗布剤６に重畳する領域の少なくとも一部、具体的には第５部分９５は、透明である。よって、使用者は、保護シート９の表面９０１から第５部分９５を通して塗布剤６の実際の色または質感等を確認可能である。なお、第５部分９５は、それを通して保護シート９の表面９０１の側から使用者が塗布剤６の色等を視認することができればよく、透光性を有するもの、例えば半透明なものまたは網点印刷されたもの等であってもよい。
【００６２】
保護シート９の表面９０１には、当該塗布用品１の塗布剤６と同じまたは同種の塗布剤を収容する他の塗布用品、具体的には化粧用品１００が描写されている。よって、当該塗布用品１が他の塗布用品と同じまたは同種の塗布剤６を含むことを、使用者に直感的に知らせることができる。なお、上記描写は、イラストに限らず写真等により行われてもよく、何らかの意味で表されていればよい。また、表面９０１に描写されるものは、塗布用品に限らず、塗布剤６が塗布される対象、例えば人の顔またはその部分等であってもよい。この場合、塗布剤６の塗布対象を、使用者に直感的に知らせることができる。保護シート９に描写された塗布用品の塗布剤収容部分または塗布対象が、透明であるか、または透光性を有しており、これらを透過して塗布剤６の色等を視認できるようにすれば、実際の使用状態を使用者が容易に想像することができる。また、表面９０１に描写されるものは、塗布剤の色または質感を示唆する物品であってもよい。例えば、塗布剤６がマカロンカラーのアイシャドウである場合に、塗布剤６と同じ色味を有する菓子のマカロンが、塗布剤６の色または仕上がりをイメージさせるモチーフとして、表面９０１に描かれていてもよい。
【００６３】
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６４】
例えば、塗布剤は、化粧料に限らず、制汗料、整髪料、消毒剤その他の薬剤等であってもよい。第３の実施形態の保護シートの構成、すなわち保護シートの表面に他の塗布用品のイラストが描かれていたり、保護シートのうち塗布剤に重畳する領域の少なくとも一部が透明であったり透光性を有していたりする構成を、第１または第２の実施形態の塗布用品に適用してもよい。
【符号の説明】
【００６５】
１  塗布用品
２  塗布具
３  保持シート
３０１  表面（第１面）
３０２  裏面（第２面）
４  支持シート
４１  第１支持シート
４２  第２支持シート
６  塗布剤
８１  粘着層（粘着部）
８２  粘着層（粘着部）
９  保護シート
９４  第２部分（把持部）
【図１】
2020054434.tif 000003
【図２】
2020054434.tif 000004
【図３】
2020054434.tif 000005
【図４】
2020054434.tif 000006
【図５】
2020054434.tif 000007
【図６】
2020054434.tif 000008
【図７】
2020054434.tif 000009
【図８】
2020054434.tif 000010
【図９】
2020054434.tif 000011
【図１０】
2020054434.tif 000012